(57)【要約】【課題】包装用フィルムが分離可能に連続したウェブ状の包装用フィルムシートにおいて、１枚の包装用フィルム毎に容易にかつ確実に分離する。【解決手段】包装用フィルム３がミシン目５によって分離可能に連続したウェブ状の包装用フィルムシート１において、ミシン目５が、包装用フィルムシート１の幅方向両端部よりも幅方向中央部が包装用フィルムシート１の長手方向において芯材２からの引き出し側に突出するようなアーチ状である。【選択図】図１
2010215272.tif 000002
【特許請求の範囲】
【請求項１】
包装用フィルムが分離線によって分離可能に連続したウェブ状の包装用フィルムシートにおいて、
前記分離線は、前記包装用フィルムシートの幅方向両端部よりも該幅方向中央部が前記包装用フィルムシートの長手方向における一方の側に突出するようなアーチ状であることを特徴とする包装用フィルムシート。
【発明の詳細な説明】
【技術分野】
【０００１】
本発明は、包装用フィルムが分離可能に連続した包装用フィルムシートに関する。
【背景技術】
【０００２】
従来より、苺や葡萄等の食料品を透明なプラスチック容器に入れて販売することが行われている。このようなプラスチック容器は、開口面を有しており、この開口面から食料品を入れた後、開口面を包装用フィルムでラッピングすることにより、食料品がプラスチック容器からこぼれ落ちないようにして販売される。
【０００３】
このような包装用フィルムは、例えば、包装用フィルムが連続したウェブ状の包装用フィルムシートを用い、この包装用フィルムシートを熱によって破断することによって作製されている。ところが、包装用フィルムシートを熱によって１枚ずつの包装用フィルムに破断する場合、熱を発生させるための電源が必要となるとともに、包装用フィルムシートを破断する際に煙や臭いが発生してしまう。
【０００４】
ここで、包装用フィルムがミシン目によって分離可能に連続した包装用フィルムシートを用い、この包装用フィルムシートをミシン目によって１枚ずつの包装用フィルムに分離することが考えられている（例えば、特許文献１参照。）。
【０００５】
図４は、従来の包装用フィルムシートの一例を示す図であり、（ａ）は外観斜視図、（ｂ）は表面図である。
【０００６】
本従来例における包装用フィルムシートは図４に示すように、透明な材料からなる複数の包装用フィルム１０３がミシン目１０５によって分離可能に連続したウェブ状となっており、芯材１０２に巻き付けられている。包装用フィルムシート１０１の一方の面には、包装用フィルムシート１０１の幅方向両端部に沿って粘着剤が塗布されており、それにより、包装用フィルムシート１０１の幅方向両端部に沿った領域が貼着部１０４となっている。ミシン目１０５は、包装用フィルムシート１０１の幅方向両端部を結ぶように、包装用フィルムシート１０１の幅方向に直線状に形成されている。
【０００７】
上記のように構成された包装用フィルムシート１０１は、ミシン目１０５を破断することによって１枚ずつの包装用フィルム１０３に分離される。そのため、熱を発生させるための電源も必要なく、また、包装用フィルムシート１０１を１枚ずつの包装用フィルム１０３に分離する際に煙や臭いも発生しない。このようにして１枚ずつに分離された包装用フィルム１０３は、その後、上述したように、食料品が入れられたプラスチック容器の開口面にかけられ、貼着部１０４によってプラスチック容器に貼着されて使用されることになる。
【先行技術文献】
【特許文献】
【０００８】
【特許文献１】特開平９−５８７４３号公報
【発明の概要】
【発明が解決しようとする課題】
【０００９】
図４に示した包装用フィルムシート１０１は、上述したように、ミシン目１０５を破断することによって１枚ずつの包装用フィルム１０３に分離される。
【００１０】
図５は、図４に示した包装用フィルムシート１０１を１枚ずつの包装用フィルム１０３に分離する際の作用を説明するための図である。
【００１１】
図４に示した包装用フィルムシート１０１を１枚ずつの包装用フィルム１０３に分離する場合、１枚に分離する包装用フィルム１０３の幅方向両端部を手に持ち、この包装用フィルム１０３を手前側に引っ張ったり、この包装用フィルム１０３にミシン目１０５を介して連続する包装用フィルム１０３を保持部材（不図示）にて下方に移動しないように支えた状態で包装用フィルム１０３を下方に引っ張ったりすることによってミシン目１０５を破断して包装用フィルムシート１０１を分離することになるため、包装用フィルムシート１０１には、図５（ａ）中矢印Ａ方向に向かう力が加わることになる。
【００１２】
そのため、包装用フィルムシート１０１を１枚ずつに分離するための力は、ミシン目１０５の両端部に加わった後、図５（ａ）中矢印Ｂ方向に向かい、それにより、包装用フィルムシート１０１の破断領域は、図５（ｂ）に示すように、ミシン目１０５に沿わず、１枚に分離する包装用フィルム１０３側にずれ、包装用フィルム１０３がその内部にて破断してしまうという問題点がある。
【００１３】
本発明は、上述したような従来の技術が有する問題点に鑑みてなされたものであって、包装用フィルムが分離線によって分離可能に連続したウェブ状の包装用フィルムシートにおいて、分離線によって１枚の包装用フィルム毎に容易にかつ確実に分離することができる包装用フィルムシートを提供することを目的とする。
【課題を解決するための手段】
【００１４】
上記目的を達成するために本発明は、
包装用フィルムが分離線によって分離可能に連続したウェブ状の包装用フィルムシートにおいて、
前記分離線は、前記包装用フィルムシートの幅方向両端部よりも該幅方向中央部が前記包装用フィルムシートの長手方向における一方の側に突出するようなアーチ状であることを特徴とする。
【００１５】
上記のように構成された本発明においては、１枚に分離する包装用フィルムの幅方向両端部を手に持ち、この包装用フィルムを手前側に引っ張ったり、この包装用フィルムに分離線を介して連続する包装用フィルムを保持部材にて下方に移動しないように支えた状態で包装用フィルムを下方に引っ張ったりすることによって包装用フィルムシートを分離線にて１枚ずつの包装用フィルムに分離しようとすると、包装用フィルムシートを分離する力は、まず、分離線の両端部に加わり、その後、分離線の中央部分に向かって加わっていくが、その際、包装用フィルムシートには、包装用フィルムを手前側に引っ張ったり、この包装用フィルムに分離線を介して連続する包装用フィルムを保持部材にて下方に移動しないように支えた状態で包装用フィルムを下方に引っ張ったりすることによって、手前側の方向に力が加わっているため、包装用フィルムシートの分離領域は、分離線の両端部を結ぶ線に対して手前側、すなわち分離する包装用フィルム側にずれていく。ところが、分離線が、包装用フィルムシートの幅方向両端部よりも幅方向中央部が包装用フィルムシートの長手方向における一方の側に突出するようなアーチ状であるので、この突出する側を手前側として包装用フィルムシートを分離しようとすると、分離領域が分離線の両端部を結ぶ線に対して手前側にずれても、その領域には包装用フィルムシートの幅方向両端部からアーチ状の分離線が続いているため、包装用フィルムシートが分離線にて容易に確実に分離されることになる。
【発明の効果】
【００１６】
以上説明したように本発明においては包装用フィルムが分離線によって分離可能に連続したウェブ状の包装用フィルムシートにおいて、分離線が、包装用フィルムシートの幅方向両端部よりも該幅方向中央部が包装用フィルムシートの長手方向における一方の側に突出するようなアーチ状であるため、この突出する側を手前側として包装用フィルムシートを分離すれば、包装用フィルムシートが分離線の両端部から分離していった後、包装用フィルムシートを分離する力の方向によって分離領域が分離線の両端部を結ぶ線に対して手前側にずれても、その領域には包装用フィルムシートの幅方向両端部からアーチ状の分離線が続いており、それにより、包装用フィルムシートを分離線にて容易に確実に分離することができる。
【図面の簡単な説明】
【００１７】
【図１】本発明の包装用フィルムシートの実施の一形態を示す図であり、（ａ）は外観斜視図、（ｂ）は表面図である。
【図２】図１に示した包装用フィルムシートを１枚ずつの包装用フィルムに分離する際の作用を説明するための図である。
【図３】図１に示した包装用フィルムの使用状態を示す図である。
【図４】従来の包装用フィルムシートの一例を示す図であり、（ａ）は外観斜視図、（ｂ）は表面図である。
【図５】図４に示した包装用フィルムシートを１枚ずつの包装用フィルムに分離する際の作用を説明するための図である。
【発明を実施するための形態】
【００１８】
以下に、本発明の実施の形態について図面を参照して説明する。
【００１９】
図１は、本発明の包装用フィルムシートの実施の一形態を示す図であり、（ａ）は外観斜視図、（ｂ）は表面図である。
【００２０】
本形態における包装用フィルムシートは図１に示すように、透明な材料からなる複数の包装用フィルム３が分離線となるミシン目５によって分離可能に連続したウェブ状となっており、芯材２に巻き付けられている。包装用フィルムシート１の芯材２への巻き付け状態内側となる面には、包装用フィルムシート２の幅方向両端部に沿って粘着剤が塗布されており、それにより、包装用フィルムシート２の幅方向両端部に沿った領域が貼着部４となっている。この貼着部４を構成するための粘着剤は、包装用フィルムシート１の芯材２への巻き付け状態内側となる面に表出しているが、包装用フィルムシート１が芯材２に巻き付けられた状態においては、この粘着剤には芯材２への巻き付け状態内側にて包装用フィルムシート１が対向しているため、粘着剤が乾燥することがなく、かつ、包装用フィルムシート１を芯材２への巻き付け状態から引き出すことができる。ミシン目５は、包装用フィルムシート１の幅方向両端部を結ぶように形成されているが、包装用フィルムシート１の幅方向両端部よりも幅方向中央部が包装用フィルムシート１の長手方向において芯材２からの引き出し側に突出するようなアーチ状となっている。
【００２１】
上記のように構成された包装用フィルムシート１は、１枚ずつの包装用フィルム３に分離する場合、１枚に分離する包装用フィルム３の幅方向両端部を手に持ち、この包装用フィルム３を手前側に引っ張ったり、この包装用フィルム３にミシン目５を介して連続する包装用フィルム３を保持部材（不図示）にて下方に移動しないように支えた状態で包装用フィルム３を下方に引っ張ったりすることによってミシン目５を破断して包装用フィルムシート１を分離することになる。
【００２２】
以下に、上述した包装用フィルムシート１を１枚ずつの包装用フィルム３に分離する際の作用について説明する。
【００２３】
図２は、図１に示した包装用フィルムシート１を１枚ずつの包装用フィルム３に分離する際の作用を説明するための図である。
【００２４】
図１に示した包装用フィルムシート１を１枚ずつの包装用フィルム３に分離する場合、上述したように、１枚に分離する包装用フィルム３の幅方向両端部を手に持ち、この包装用フィルム３を手前側に引っ張ったり、この包装用フィルム３にミシン目５を介して連続する包装用フィルム３を保持部材にて下方に移動しないように支えた状態で包装用フィルム３を下方に引っ張ったりすることによってミシン目５を破断して包装用フィルムシート１を分離することになるため、包装用フィルムシート１には、図２（ａ）中矢印Ａ方向に向かう力が加わることになる。
【００２５】
包装用フィルムシート１を１枚ずつに分離するための力は、まず、ミシン目５の両端部に加わり、その後、図２（ａ）中矢印Ｂ方向に向かうようになる。これは、上述したように、包装用フィルムシート１には図２（ａ）中矢印Ａ方向に向かう力が加わっていることによるためであり、それにより、包装用フィルムシート１の分離領域は、ミシン目５の両端部から、この両端部を結ぶ線に対して手前側、すなわち分離する包装用フィルム３側にずれていく。
【００２６】
ところが、本形態の包装用フィルムシート１においては、包装用フィルムシート１を１枚ずつの包装用フィルム３に分離するためのミシン目５が、包装用フィルムシート１の幅方向両端部よりも幅方向中央部が包装用フィルムシート１の長手方向において芯材２からの引き出し側に突出するようなアーチ状となっているため、包装用フィルムシート１の分離領域がミシン目５の両端部を結ぶ線に対して手前側にずれても、その領域には包装用フィルムシート１の幅方向両端部からアーチ状のミシン目５が続いているため、図２（ｂ）に示すように、ミシン目５が引き続き破断していき、包装用フィルムシート１がミシン目５にて１枚ずつの包装用フィルム３に容易に確実に分離されることになる。
【００２７】
このように本形態においては、包装用フィルムシート１を１枚ずつの包装用フィルム３に分離するためのミシン目５が、包装用フィルムシート１の幅方向両端部よりも幅方向中央部が包装用フィルムシート１の長手方向において芯材２からの引き出し側に突出するようなアーチ状となっているため、包装用フィルムシート１がミシン目５の両端部から分離していった後、包装用フィルムシート１を分離する力の方向によってその分離領域がミシン目５の両端部を結ぶ線に対して手前側にずれても、その領域には包装用フィルムシート１の幅方向両端部からアーチ状のミシン目５が続いており、それにより、ミシン目５が引き続き破断していき、包装用フィルムシート１をミシン目にて１枚ずつの包装用フィルム３に容易に確実に分離することができる。
【００２８】
上述したようにして１枚ずつに分離された包装用フィルム３は、その後、食料品が入れられたプラスチック容器に貼着されて使用されることになる。
【００２９】
図３は、図１に示した包装用フィルム３の使用状態を示す図である。
【００３０】
上述したようにして包装用フィルムシート１から１枚ずつに分離された包装用フィルム３は、図３に示すように、食料品７が入れられたプラスチック容器６の開口面にかけられ、貼着部４によってプラスチック容器に貼着されて使用される。このように、食料品７が入れられたプラスチック容器６の開口面を、図１に示した包装用フィルムシート１から１枚ずつに分離された包装用フィルム３でラッピングすることにより、食料品７がプラスチック容器６からこぼれ落ちないようになる。
【符号の説明】
【００３１】
１    包装用フィルムシート
２    芯材
３    包装用フィルム
４    貼着部
５    ミシン目
６    プラスチック容器
７    食料品
【図１】
2010215272.tif 000003
【図２】
2010215272.tif 000004
【図３】
2010215272.tif 000005
【図４】
2010215272.tif 000006
【図５】
2010215272.tif 000007